(57)【要約】【課題】、内袋と外容器を備え、毛髪化粧料の吐出容器等に使用されるスクイズボトルにおいて、一度のスクイズによる吐出量を増大させる。【解決手段】内袋４とスクイズ性を有する外容器３を備えるスクイズボトルを、外容器３の胴部中央部が底部及び口部に比して太径の樽型形状とする。【選択図】図１
2009149322.tif 000002
【特許請求の範囲】
【請求項１】
内袋とスクイズ性を有する外容器を備え、外容器の胴部中央部が底部及び口部に比して太径の樽型であるスクイズボトル。
【請求項２】
外容器がデラミボトルである請求項１記載のスクイズボトル。
【発明の詳細な説明】
【技術分野】
【０００１】
本発明は、スクイズボトルに関する。
【背景技術】
【０００２】
アルカリ剤を含有する液状の第１剤と過酸化水素を含有する液状の第２剤とからなる二剤式の染毛剤又は脱色剤といった二剤式毛髪化粧料が知られている。この二剤式毛髪化粧料は、使用時に第１剤と第２剤を混合し、その混合物をスクイズボトルを用いた吐出容器等から吐出させることにより使用される（特許文献１）。また、このような吐出容器において、内袋と外容器を備えたボトルを使用すると、ボトル内の液の吐出に応じて、内袋が外容器から剥離してしぼむことにより、正立、倒立を問わず吐出容器を使用することができるので、染毛操作が容易となる（特許文献２）。
【０００３】
【特許文献１】特開２００４−３３９２１６号公報
【特許文献２】特開２００３−９３１３９号公報
【発明の開示】
【発明が解決しようとする課題】
【０００４】
一般に、スクイズボトルを用いた毛髪化粧料の吐出容器では、その使用時にスクイズボトルが片手で把持され、その胴部がスクイズされるため、スクイズボトルは、片手で容易に握ることができる程度の細径となっている。このため、一度のスクイズで吐出させられる毛髪化粧料の量には限界があり、毛髪全体に毛髪化粧料を塗布するためには、スクイズ操作を多数回繰り返すことが必要になるという問題がある。
【０００５】
これに対し、本発明は、内袋と外容器を備え、毛髪化粧料の吐出容器等に使用されるスクイズボトルにおいて、一度のスクイズによる吐出量を増大させることを目的とする。
【課題を解決するための手段】
【０００６】
本発明者は、スクイズボトルの外形を、胴部中央部が太径の樽型にすると、スクイズボトルの握りやすさが損なわれることなく、スクイズ時の容器の変形量が大きくなり、吐出量が増大することを見出した。
【０００７】
即ち、本発明は、内袋とスクイズ性を有する外容器を備え、外容器の胴部中央部が底部及び口部に比して太径の樽型であるスクイズボトルを提供する。
【発明の効果】
【０００８】
本発明のスクイズボトルは、その外形が、胴部中央部が底部や口部に比して太径の樽型であるため、胴部中央部をスクイズした場合の容器の変形量が大きくなり、吐出量が増大する。また、スクイズボトルの外形が樽型であることにより、ボトル径が太径であっても、スクイズボトルの握りやすさが損なわれない。したがって、スクイズ操作により、容易に所期の吐出量を達成することが可能となる。
【発明を実施するための最良の形態】
【０００９】
以下、図面を参照しつつ本発明を詳細に説明する。なお、各図中、同一符号は同一又は同等の構成要素を表している。
【００１０】
図１は、本発明の一実施例のスクイズボトル２の口部にフォーマーキャップ１０を取り付けたスクイズフォーマー容器１の斜視図（ａ）、断面図（ｂ）及び上面図（ｃ）であり、図２は、そのフォーマーキャップ１０の拡大断面図である。
【００１１】
このスクイズボトル２は、外容器３と内袋４からなり、内袋４が外容器３から剥離容易に積層されたデラミボトルとなっている。
【００１２】
外容器３は厚さ０．４〜１．５ｍｍのポリエチレン、ポリプロピレン等の合成樹脂からなり、押圧により変形し、押圧の解除により復元するスクイズ性を有する。一方、内袋４は、厚さ０．１〜０．５ｍｍで、外容器３の構成樹脂に対して相溶性の低いナイロン、エチレンビニルアルコール共重合体、ポリエチレンテレフタレート等の樹脂からなり、変形自在である。
【００１３】
このスクイズボトル２は、円形の口部２ａと、角が丸められた矩形の底部２ｂを有し、その間の胴部の外形が、底部２ｂ及び口部２ａに比して太径の樽型となっていることを特徴としている。より具体的には、好ましくは、スクイズによる吐出量の多さと、ボトルの握りやすさと、ボトルの起立安定性の点から、ボトル胴部の高さＨが７０〜２００ｍｍの場合に、口部２ａの径Ｌ１が２０〜５０ｍｍ、胴部中央部の最も太径部分の長径Ｌ２が５０〜８０ｍｍ、底部２ｂの長径Ｌ３が４０〜７０ｍｍである。このように胴部中央部が太径の樽型とすることにより、スクイズボトル２を握ってスクイズをする場合の吐出量を、胴部中央部が細径の場合に比して増大させることができ、かつ、ボトル全体を太径にした場合のように、握りやすさが損なわれることがない。したがって、胴部中央部のスクイズにより、容易に所期の吐出量を達成することができる。
【００１４】
さらに、スクイズボトル２を樽型とした場合には、スクイズボトル２内に液体Ａを注入すると、図１（ｂ）の矢印のように内袋４の太径部分に略下向きの剥離力が大きくかかり、内袋が剥離し、外容器３と内袋４との間に初期空間５ａが形成される。そのため、外容器３と内袋４との内部空間５の空気を、液体Ａを泡状に吐出させるために使用するスクイズフォーマー容器１においては、その使い始めから、十分な空気をフォーマーキャップ１０に供給し、泡質の高い泡を吐出させることが可能となる。
【００１５】
即ち、図２に示すように、このスクイズフォーマー容器１のフォーマーキャップ１０は、ハウジング１１内に、液体Ａと空気Ｂを混合する気液混合室１２、及び気液混合室１２の下流にあるメッシュ部材１３を備え、ハウジング１１の一端に吐出口１４を有し、ハウジング１１の他端内壁に、外容器３の口部周壁３ａに螺合するネジ部１５を有している。
【００１６】
また、フォーマーキャップ１０をスクイズボトル２に螺合させた場合に、外容器３の口部近傍に形成されている通気孔６を含むハウジング内空間１１ａが画されるように、フォーマーキャップ１０は、ハウジング１１と外容器３とを密着させるシール部１９を有し、さらに、気液混合室１２の底面を形成する板状部材２１とスクイズボトル２の口部周壁の天面とを密着させるシール部２３を有する。ハウジング１１の天面には、吸気弁のついた吸気孔（弁付吸気孔）２４が形成されている。
【００１７】
このスクイズフォーマー容器１の使用方法としては、まず、スクイズボトル２の胴部を押圧して凹ませる。これにより、内袋４内が加圧されて液体Ａがディップチューブ１６を通り液体流入孔１７から気液混合室１２に供給されると共に、外容器３と内袋４の間の内部空間５の空気が、通気孔６を通ってハウジング内空間１１ａ内に押し出され、空気流入孔１８から気液混合室１２に空気Ｂが供給される。したがって、気液混合室１２で液体Ａは空気Ｂと混合され、メッシュ部材１３を経て吐出口１４から泡状に吐出される。ここで、このスクイズボトル２によれば、その外形が樽型であることにより、スクイズフォーマー容器１の使い始めから外容器３と内袋４との間に初期空間５ａが形成されているので、十分量の空気を気液混合室１２に供給し、高い泡質の泡を吐出させることができる。
【００１８】
次に、胴部の押圧を解除すると、外容器３が弾性により押圧前の形状に戻り、外容器３と内袋４との間の内部空間５が減圧になる。そのため、弁付吸気孔２４の弁体の硬さを液体Ａやその泡の粘性等に応じて適宜調整しておくことにより、吐出口１４から空気流入孔１８を経てハウジング内空間１１ａに至る空気の流入経路に優先して弁付吸気孔２４から空気がハウジング内空間１１ａに流入し、さらに通気孔６から内部空間５に入り、内部空間５を常圧に戻す。これにより、空気流入孔１８が液体Ａやその泡で塞がれることなく、内袋４が液体Ａの吐出量の分だけつぶれる。以降、スクイズボトル２の胴部の押圧と解除を繰り返すことにより、スクイズボトル２内の液体Ａを泡状に吐出させることができる。
【００１９】
本発明のスクイズボトルは、その横断面形状には特に制限はなく、横断面が円形、楕円等の樽型とすることができる。
【００２０】
また、本発明のスクイズボトルは、外容器３と内袋４とを独立的に形成し、外容器３内に内袋４を装着した二重容器としてもよい。
【００２１】
スクイズボトル２に取り付ける吐出キャップについても、種々の態様のものを使用することができる。例えば、図３に示す吐出容器１Ｂのように、気液混合室やメッシュ部材のない吐出キャップ１０Ｂを上述のスクイズボトル２の口部に取り付けてもよい。この吐出容器１Ｂによれば、スクイズボトル２の胴部をスクイズすると、内袋４が加圧されて液体Ａがディップチューブ１６を通り、吐出口１４から吐出される。次にスクイズを解除すると、外容器３がスクイズ前の形状に復元し、外容器３と内袋４との間の内部空間５が減圧となり、弁付吸気孔２４から空気がハウジング内空間１１ａに流入し、さらに通気孔６を通って外容器３と内袋４との間の内部空間５に流入し、内袋４を剥離し、内部空間５を常圧に戻す。以降同様にしてスクイズとその解除を繰り返すことにより、スクイズボトル２内の液体を液状のまま吐出させることができる。この場合にも、スクイズボトル２が樽型であるため、そのスクイズ時の変形量の大きさにより、十分な量の液体を吐出させることができる。
【産業上の利用可能性】
【００２２】
本発明のスクイズボトルは、フォーマーキャップ、吐出キャップ等の吐出キャップと組み合わせ、毛髪化粧料の他、バス、キッチン、トイレ等に用いる洗浄剤等を収容し、吐出させる容器として有用である。
【図面の簡単な説明】
【００２３】
【図１】スクイズフォーマー容器の斜視図（ａ）、断面図（ｂ）及び上面図（ｃ）である。
【図２】フォーマーキャップの拡大断面図である。
【図３】吐出キャップの拡大断面図である。
【符号の説明】
【００２４】
１、１Ｂ    スクイズフォーマー容器
２    スクイズボトル
２ａ  スクイズボトルの口部
２ｂ  スクイズボトルの底部
３    外容器
３ａ  口部周壁
４    内袋
５    内部空間
５ａ  初期空間
６    通気孔
１０    フォーマーキャップ
１０Ｂ  吐出キャップ
１１    ハウジング
１１ａ  ハウジング内空間
１２    気液混合室
１３    メッシュ部材
１４    吐出口
１５    ネジ部
１６    ディップチューブ
１７    液体流入孔
１８    空気流入孔
１９    シール部
２１    板状部材
２３    シール部
２４    弁付吸気孔
Ａ    液体
Ｂ    空気
【図１】
2009149322.tif 000003
【図２】
2009149322.tif 000004
【図３】
2009149322.tif 000005